(57)【要約】【課題】敷居溝清掃装置を簡単な構造で強固に、また、ドアの意匠性を損なうことなく敷居溝内のスペースを利用し省スペースで取付可能な敷居溝清掃装置を提供することを目的とする。【解決手段】ドアガイドシューをエレベータ用ドアに固定する固定金具と複数のブラシが取り付けられ樹脂等で構成された取付片を取り付ける取付金具とを一体で構成する。また、樹脂等で構成された取付片をエレベータ用ドアの進行方向前方から見たときに取付片がドアガイドシューの投影面内に重なるように配置する。さらに取付片に溝を設け、この溝に取付金具を嵌合することにより回転を防止する。【選択図】図１
2010042906.tif 000002
【特許請求の範囲】
【請求項１】
エレベータ用ドアの下端に設けられドアの開閉を案内するドアガイドシュー、前記ドアガイドシューを摺動可能にガイドする敷居溝を有する敷居、前記敷居の敷居溝を清掃するブラシを設けたエレベータ装置において、前記ドアガイドシューをエレベータ用ドアに固定する固定金具と複数のブラシが取り付けられ樹脂等で構成された取付片を取り付ける取付金具とを一体としたことを特徴とするエレベータ用敷居溝清掃装置。
【請求項２】
前記取付片をエレベータ用ドアの進行方向前方から見たときに前記取付片が前記ドアガイドシューの投影面内に重なるように配置されていることを特徴とする請求項１記載のエレベータ用敷居溝清掃装置。
【請求項３】
前記取付片を前記取付金具に取り付ける際に前記取付片のドア開閉方向を中心軸とし、前記中心軸に対する取付片の回転を抑制するため、前記取付片に溝を設け、前記溝に前記取付金具を嵌合したことを特徴とする請求項２記載のエレベータ用敷居溝清掃装置。
【請求項４】
前記取付金具の変形防止のため前記取付片と前記ドアガイドシュー、もしくは前記取付片を前記取付金具に固定するボルトの先端部と前記ドアガイドシューのすき間を小さくしたことを特徴とする請求項３記載のエレベータ用敷居溝清掃装置。
【発明の詳細な説明】
【技術分野】
【０００１】
本発明はエレベータの敷居溝を清掃するためのエレベータ用敷居溝清掃装置に関するものである。
【背景技術】
【０００２】
エレベータ用ドアは上部が吊持されて下部には敷居溝に摺動可能に係合したドアガイドシューが設けられ電動開閉される。
このようなドア装置では敷居溝に異物が入ると、これによってエレベータ用ドア下部に設けられたドアガイドシューの動きが阻害されて戸閉不能となる。
これを防止するために、ドアの下端に設けられたドアガイドシューと共締めされたブラシ取付金具を介して設けられた敷居溝清掃用ブラシにより異物を排除する方法が提案されている（例えば、特許文献１参照。）。
【０００３】
また、ドアの閉端側端面下部で、ドアとドア先端に設けられた緩衝用戸当りゴムの間にブラシ取付金具を固定した敷居溝清掃用ブラシが提案されている（例えば、特許文献２参照。）。
【０００４】
さらに、ブラシとブラシ取付金具を一体的に形成すると共に前記取付金具を薄板で形成し、前記取付金具を折り曲げることによりガイドシューに固定する方法も提案されている（例えば、特許文献３参照。）。
【０００５】
【特許文献１】実開昭５４−２０４６３号公報（図４、５）
【特許文献２】実開平０１−６８３７６号公報（図１）
【特許文献３】実開平０３−９５３６９号公報
【発明の開示】
【発明が解決しようとする課題】
【０００６】
しかしながら、特許文献１の敷居溝清掃用ブラシでは、敷居溝清掃用のブラシの取付片はドアの水平投影面内でかつ敷居の敷居溝外にドアガイドシューと共締めにより取付けられているので、ドア下端部のドアの水平投影面内の敷居溝外に敷居溝清掃用ブラシを配置するスペースが必要となる。エレベータ用ドアは乗客がドアに衝突した場合等にドアが変形しドアガイドシューが敷居溝から外れることのないよう強度が要求されるため、ドア下端には補強材を取り付けたりドア下端を折り曲げる等して強固にする必要が有るが、特許文献１の構造では補強材の取付が困難となるか、あるいは敷居溝清掃用ブラシの取り付けスペースを確保するためにドア下端部に切欠を設ける必要が有ることからドアの強度を確保することが難しいという問題点があった。
さらに、敷居溝清掃用ブラシの取付片はドアガイドシューと共締めにより取付けられているのでドアガイドシューの位置の調整をしながら敷居溝清掃用ブラシの取付片の位置の調整も必要となるため調整が煩雑という問題点もあった。
【０００７】
また、特許文献２の敷居溝清掃用ブラシではドア下端部のドアの水平投影面内に敷居溝清掃用ブラシを取付けるスペースが不要となり、ドアの強度を確保することが可能となるが、ドアパネルの閉端側下部、例えばドアとドア先端に設けられた緩衝用戸当りゴムの間に清掃用ブラシ取付部を固定した場合には２枚戸片開きタイプや４枚戸両開きタイプ等の低速側ドア先端へ取り付ける際には意匠上の不具合が発生するという問題点があった。
【０００８】
さらに、特許文献３の敷居溝清掃用ブラシでは敷居溝清掃用ブラシの取付片を薄板で形成し、前記取付片を折り曲げてドアガイドシューの固定金具に装着するので強固な取付が困難となるという問題点があった。
【０００９】
本発明は、上記の課題を解決するためになされたものであり、敷居溝内のスペースを利用することで省スペースを実現しながらドアの強度を損なわず、ドアの意匠性を損なわず、さらに、ドア下端部の構造に関係なく容易に取付可能なエレベータ用敷居溝清掃装置を提供することを目的とする。
【課題を解決するための手段】
【００１０】
この発明によるエレベータ用敷居溝清掃装置は、エレベータ用ドアの下端に設けられドアの開閉を案内するドアガイドシュー、前記ドアガイドシューを摺動可能にガイドする敷居溝を有する敷居、前記敷居の敷居溝を清掃するブラシを設けたエレベータ装置において、前記ドアガイドシューをエレベータ用ドアに固定する固定金具と複数のブラシが取り付けられ樹脂等で構成された取付片を取り付ける取付金具とを一体としたことを特徴としている。
【００１１】
また、前記取付片をエレベータ用ドアの進行方向前方から見たときに前記取付片が前記ドアガイドシューの投影面内に重なるように配置されていることを特徴としている。
【００１２】
また、前記取付片を前記取付金具に取り付ける際に前記取付片のドア開閉方向を中心軸とし、前記中心軸に対する取付片の回転を抑制するため、前記取付片に溝を設け、前記溝に前記取付金具を嵌合したことを特徴としている。
【００１３】
また、前記取付金具の変形防止のため前記取付片と前記ドアガイドシュー、もしくは前記取付片を前記取付金具に固定するボルトの先端部と前記ドアガイドシューのすき間を小さくしたことを特徴としている。
【発明の効果】
【００１４】
この発明によれば、ドアガイドシューをエレベータ用ドアに固定する固定金具と複数のブラシが取り付けられ樹脂等で構成された取付片を取り付ける取付金具とを一体とし、前記取付片をエレベータ用ドアの進行方向前方から見たときにドアガイドシューの投影面内に重なるように配置しているのでドア下端部のドアの水平投影面内の敷居溝外に敷居溝清掃装置を取付けるスペースは不要となり、ドア下端部の構造に関係なく取付片が取付可能となるだけでなく、１箇所の固定で取付片のドア開閉方向を中心軸とした方向の回転を防止できるので敷居溝清掃装置をコンパクトに出来、省スペースとなる。また、ドアガイドシューと取付片、もしくはドアガイドシューと取付片を固定するボルトの先端部とのすき間を小さくすることで取付金具の変形を防止し、長期間に渡って性能を維持できるようになっている。
【発明を実施するための最良の形態】
【００１５】
以下、この発明を実施するための最良の形態について、図面を参照して説明する。
【実施例】
【００１６】
実施の形態１
図１はこの発明の実施の形態１におけるエレベータ用敷居溝清掃装置が取り付けられたドアの戸閉方向端部下部周辺を示す正面図、図２は戸閉方向から見たエレベータ用敷居溝清掃装置の側面図である。図３は図１のＡ−Ａ断面であり、取付片７ａに取付金具８が嵌合した状態を示す断面図である。
【００１７】
図１ないし図３において、１はエレベータ用ドアであり、２は敷居、２ａは敷居に設けられた敷居溝である。ドア１の裏面の下部に矩形平板状の固定板６を配置する。固定板６には、ボルト締め用のタップ穴（図示せず）が、ドアの開閉方向に沿って２箇所形成されている。また、直方体形状に形成されたドアガイドシュー３が、その長手方向をドアの開閉方向に合わせてドア１の下方に設けられた敷居溝２ａに入るように配置され、さらに曲げ板状に形成された固定金具４は、その一端をドアガイドシュー3の上部外壁面に取付けられている。固定金具４には、固定板６に形成された２箇所のタップ穴に対応するように、２つの取付穴（図示せず）が形成されている。固定金具４の取付穴にボルト５を貫通し、ドア１に配置された固定板６のタップ穴にボルト締めすることによって、ドアガイドシュー3がドア１に固定される。これにより、ドアガイドシュー3は、その長手方向を敷居溝２ａの溝方向に一致させて、敷居溝２ａ内に配置される。
【００１８】
次に、エレベータ用敷居溝清掃装置について説明する。
エレベータ用敷居溝清掃装置はドア１の開閉方向の戸閉方向下部に配設され取付金具８と清掃部７で構成される。清掃部７は、取付片７ａと複数のブラシ７ｂにより構成され、取付片７ａの底面にブラシ７ｂが取り付けられている。取付片７ａは樹脂等からなる直方体形状で側面に溝が形成され、ボルト締め用のタップ穴（図示せず）が形成されている。取付金具８はＬ型の曲げ板状に形成され、ドアガイドシュー３の固定金具４と一体に構成されている。さらに、取付金具８の曲げ部には取付片７ａを取り付けるための穴（図示せず）が形成されている。
【００１９】
ここでブラシ７ｂの取付片７ａへの取付方法を図４にて説明する。図４（ａ）はブラシ７ｂをブラシ植え込み穴１２に植え込む前の状態を示す正面図、図４（ｂ）は図４（ａ）のＢ−Ｂ断面図である。また、図４（ｃ）はブラシ７ｂをブラシ植え込み穴１２に植え込んだ状態を示す正面図、図４（ｄ）は図４（ｃ）のＣ−Ｃ断面図である。
取付片７ａにはブラシ７ｂを植え込むための複数のブラシ植え込み穴１２が設けられている。ブラシ７ｂは取付片７ａに設けたブラシ植え込み穴１２にブラシ止め金具１３と共に打ち込むことにより固定される。このときブラシ止め金具１３の巾はブラシ植え込み穴１２の直径よりも少し大きめに構成されているので、ブラシ止め金具１３がブラシ植え込み穴１２に食い込むことでブラシ７ｂを取付片７ａに強固に固定出来る。
【００２０】
図２に示すように樹脂等で構成された取付片７aはエレベータ用ドア１の進行方向前面から見たときにドアガイドシュー３の投影面内に重なるように配置されている。これにより取付片７ａが敷居溝２ａの側面と接触することはないので異音の発生が防止できるとともにドアの構造に関係なく取り付けが可能となる。また、ドア下端部のドアの水平投影面内の敷居溝外にエレベータ用敷居溝清掃装置を配置するスペースが不要となるため省スペース化が図れる。さらに、取付金具８はドアガイドシュー３の固定金具４と一体に構成されているためエレベータ用敷居溝清掃装置を取付ける際にはドアガイドシュー３の位置を調整するだけでよく取り付けも容易である。
【００２１】
清掃部７は取付金具８に形成されている穴にボルト９を貫通し、取付片７ａに形成されているタップ穴にボルト締めすることによって取付金具８に固定される。また、取付金具８を取付片７ａの戸閉側端面の溝にはめ込むことで１箇所のボルト締めでも戸閉方向を中心軸とした方向の取付片７ａの回転を防止できる。
【００２２】
上記のように構成された清掃部７は、敷居溝２ａに入るように配置され、ドアガイドシュー３の固定金具４と一体に構成されている取付金具８に固定されてドア１のドア閉方向端部下部に取り付けられている。また、敷居溝２ａの底面には、小石やガラス、ごみ等の異物１１を排除するための排除穴１０が設けられている。
【００２３】
次に、このように構成された清掃部７の動作について、図１を参照しつつ説明する。図１では、ドア１が戸閉途中の状態の時に、異物１１が敷居溝２ａ内の清掃部７よりドア閉方向側に付着している状態を示す。ドア１が全開状態から閉方向に移動すると、ブラシ７ｂの弾性力によって異物１１は、ブラシ７ｂによって押されて、敷居溝２ａの底面を移動して敷居溝２ａの底面に設けられた排除穴１０に落ちるようになっている。これにより、ドア１の戸閉動作時にドアガイドシュー３と敷居溝２ａとの間に異物１１が挟まって発生する閉じ込め故障は防止できる。
また、敷居溝に詰まった異物１１との衝撃により取付金具８が変形すると取付片７ａに設けたブラシ７ｂが敷居溝２ａの底面に垂直に当らないために清掃性能が低下したり、最悪の場合はエレベータ用敷居溝清掃装置の清掃部７の脱落の可能性が有るが、これを防止するためにドアガイドシュー３と取付片７ａもしくは取付片７ａを固定するボルト９の先端部とのすき間を小さくすることで敷居溝に詰まった異物１１との衝撃による取付金具8の変形を防止できるようになっている。
【００２４】
実施の形態２
図５はこの発明の実施の形態２におけるエレベータ用敷居溝清掃装置が取り付けられたドアの戸閉方向端部下部周辺を示す正面図である。なお、装置の全体構成は、実施の形態１とほぼ同様である。
実施の形態１との相違は、ドアガイドシュー３と清掃部７が離れて配置されている点である。ブラシ７ｂは異物１１を敷居溝２ａの底面に設けられた排除穴１０に落ちるように構成されるのでドアガイドシュー３のドア１への取付位置や排除穴１０の位置により本実施例の構成となる場合がある。
本実施例の場合も実施の形態１の場合と同様に、敷居溝に詰まった異物１１との衝撃により取付金具８が変形するという不具合が想定される。実施の形態１の場合は変形を防止するためにドアガイドシュー３と取付片７ａ、もしくはドアガイドシュー３と取付片７ａを固定するボルト９の先端部とのすき間を小さくしたが、本実施例では取付金具８に補助金具１４を設けることでドアガイドシュー３と取付片７ａとの隙間を小さくしたのと同様の効果が得られるので取付金具８の変形を防止できるようになっている。
なお、取付金具８の変形を防止するためには補助金具１４の向き、形状や取付片７ａの形状、ボルト９の形状や長さを変更することでも対応可能である。
【００２５】
その他、本発明は上記の実施の形態に限定されるものではなく、本発明の要旨を逸脱しない範囲で、種々の改変を施すことができる。
【図面の簡単な説明】
【００２６】
【図１】この発明の実施の形態１におけるエレベータ用敷居溝清掃装置が取り付けられたドアの戸閉方向端部下部周辺を示す正面図
【図２】戸閉方向から見たエレベータ用敷居溝清掃装置の側面図
【図３】図１のＡ−Ａ断面図
【図４】ブラシ取付方法を示す図
【図５】この発明の実施の形態２におけるエレベータ用敷居溝清掃装置が取り付けられたドアの戸閉方向端部下部周辺を示す正面図
【符号の説明】
【００２７】
１  ドア
２  敷居
２ａ  敷居溝
３  ガイドシュー
４  固定金具
５  ボルト
６  固定板
７  清掃部
７ａ  取付片
７ｂ  ブラシ
８  取付金具
９  ボルト
１０  排除穴
１１  異物
１２  ブラシ植え込み穴
１３  ブラシ止め金具
１４  補助金具
【図１】
2010042906.tif 000003
【図２】
2010042906.tif 000004
【図３】
2010042906.tif 000005
【図４】
2010042906.tif 000006
【図５】
2010042906.tif 000007